(57)【要約】【課題】ピッチバリエーションを有する空気入りタイヤであって、排水性能、操縦安定性能、および耐偏摩耗性能をバランスよく両立することを可能にした空気入りタイヤを提供する。【解決手段】回転方向が指定され、ショルダー陸部がピッチバリエーションを有するブロックに区画された空気入りタイヤにおいて、ブロックの踏込側壁面３１をブロックの踏面からラグ溝の溝外側に向かって傾斜させ、ブロックの蹴出側壁面３２をブロックの踏面からラグ溝の溝内側に向かって傾斜させ、トレッドパターン構成単位のピッチが大きいほど、踏込側壁面３１とブロックの踏面の法線とがなす角度αを大きくし、蹴出側壁面３２とブロックの踏面の法線とがなす角度βを小さくする。【選択図】図３
2017144839.tif 000002
【特許請求の範囲】
【請求項１】
回転方向が指定され、タイヤ周方向に延在して環状をなすトレッド部にタイヤ周方向に延びる複数本の主溝を有し、該複数本の主溝により区画された複数の陸部のうち少なくともタイヤ幅方向最外側に位置するショルダー陸部にタイヤ幅方向に延びる複数本のラグ溝が形成され、該ラグ溝によってショルダー陸部が複数のブロックに区画され、前記ラグ溝と前記ブロックとからなるトレッドパターン構成単位が前記ショルダー陸部においてタイヤ周方向に繰り返し配置され、該トレッドパターン構成単位としてタイヤ周方向のピッチが異なる複数種類が存在する空気入りタイヤにおいて、
前記ブロックの踏込側の壁面を踏込側壁面とし、前記ブロックの蹴出側の壁面を蹴出側壁面としたとき、前記踏込側壁面が前記ブロックの踏面から前記ラグ溝の溝外側に向かって傾斜し、前記蹴出側壁面が前記ブロックの踏面から前記ラグ溝の溝内側に向かって傾斜し、前記トレッドパターン構成単位のピッチが大きいほど、前記踏込側壁面と前記ブロックの踏面の法線とがなす角度αが大きく、前記蹴出側壁面と前記ブロックの踏面の法線とがなす角度βが小さいことを特徴とする空気入りタイヤ。
【請求項２】
タイヤ周方向に隣り合うトレッドパターン構成単位に含まれる前記踏込側壁面の角度αどうしの差と前記蹴出側壁面の角度βどうしの差とがそれぞれ１°以上８°以下であることを特徴とする請求項１に記載の空気入りタイヤ。
【請求項３】
前記踏込側壁面の角度αが４０°以下であることを特徴とする請求項１または２に記載の空気入りタイヤ。
【請求項４】
１本の前記ラグ溝に含まれる前記踏込側壁面の角度αと前記蹴出側壁面の角度βとがα≧βの関係を満たすことを特徴とする請求項１〜３のいずれかに記載の空気入りタイヤ。
【発明の詳細な説明】
【技術分野】
【０００１】
本発明は、ピッチバリエーションを有する空気入りタイヤに関し、更に詳しくは、排水性能、操縦安定性能、および耐偏摩耗性能をバランスよく両立することを可能にした空気入りタイヤに関する。
【背景技術】
【０００２】
一般的に、ピッチバリエーションを有する空気入りタイヤは、タイヤ周方向に延びる主溝と、タイヤ幅方向に延びるラグ溝と、これら主溝とラグ溝とにより区画された陸部とからなるトレッドパターン構成単位がタイヤ周方向に繰り返し配置され、このトレッドパターン構成単位としてタイヤ周方向の長さであるピッチが異なる複数種類が存在することで構成される。このような構造では、ピッチの小さいトレッドパターン構成単位に含まれる陸部は小さく、低剛性になるため、周上の陸部剛性が不均一になって操縦安定性能や耐偏摩耗性能が充分に得られなくなるという問題がある。
【０００３】
そのため、例えば特許文献１や特許文献２では、ピッチの異なるトレッドパターン構成単位ごとに溝体積を異ならせて、周上の陸部剛性を均一化することが提案されている。即ち、ピッチの小さいトレッドパターン構成単位では溝体積を相対的に小さくして陸部を大きくすることで陸部剛性を確保し、ピッチの大きいトレッドパターン構成単位では溝体積を相対的に大きくして陸部を小さくすることで陸部剛性を抑制して、陸部剛性が周上で均一化されるように調整している。しかしながら、この方法では、ピッチの小さいトレッドパターン構成単位において溝体積が小さくなるため、排水性能が阻害されるという問題がある。そのため、優れた排水性能を維持しながら、周上の陸部剛性を均一化して優れた操縦安定性能および耐偏摩耗性能を発揮するための対策が求められている。
【先行技術文献】
【特許文献】
【０００４】
【特許文献１】特開平１１‐０７８４２４号公報
【特許文献２】特開平１１‐２９１７１４号公報
【発明の概要】
【発明が解決しようとする課題】
【０００５】
本発明の目的は、ピッチバリエーションを有する空気入りタイヤであって、排水性能、操縦安定性能、および耐偏摩耗性能をバランスよく両立することを可能にした空気入りタイヤを提供することにある。
【課題を解決するための手段】
【０００６】
上記目的を達成するための本発明の空気入りタイヤは、回転方向が指定され、タイヤ周方向に延在して環状をなすトレッド部にタイヤ周方向に延びる複数本の主溝を有し、該複数本の主溝により区画された複数の陸部のうち少なくともタイヤ幅方向最外側に位置するショルダー陸部にタイヤ幅方向に延びる複数本のラグ溝が形成され、該ラグ溝によってショルダー陸部が複数のブロックに区画され、前記ラグ溝と前記ブロックとからなるトレッドパターン構成単位が前記ショルダー陸部においてタイヤ周方向に繰り返し配置され、該トレッドパターン構成単位としてタイヤ周方向のピッチが異なる複数種類が存在する空気入りタイヤにおいて、前記ブロックの踏込側の壁面を踏込側壁面とし、前記ブロックの蹴出側の壁面を蹴出側壁面としたとき、前記踏込側壁面が前記ブロックの踏面から前記ラグ溝の溝外側に向かって傾斜し、前記蹴出側壁面が前記ブロックの踏面から前記ラグ溝の溝内側に向かって傾斜し、前記トレッドパターン構成単位のピッチが大きいほど、前記踏込側壁面と前記ブロックの踏面の法線とがなす角度αが大きく、前記蹴出側壁面と前記ブロックの踏面の法線とがなす角度βが小さいことを特徴とする。
【発明の効果】
【０００７】
本発明では、上述のように、踏込側壁面を溝外側に傾斜させると共に、蹴出側壁面を溝内側に傾斜させて、これら踏込側壁面および蹴出側壁面の傾斜角度α，βをそれぞれトレッドパターン構成単位ごとに異ならせ、トレッドパターン構成単位のピッチが大きいほど、踏込側壁面の角度αを大きくし、蹴出側壁面の角度βを小さくすることで、ピッチの大きいトレッドパターン構成単位のブロックでは踏込側壁面の溝底側が大きく抉れた形状になる一方で蹴出側壁面は溝底側の突き出しが小さくなってブロック剛性が相対的に低くなり、ピッチの小さいトレッドパターン構成単位のブロックでは蹴出側壁面の溝底側の突き出しが大きくなる一方で踏込側壁面の溝底側の抉れは小さくなってブロック剛性が相対的に高くなる。その結果、異なるピッチのトレッドパターン構成単位に含まれるブロックどうしの剛性差を抑制して、周上の陸部剛性を均一化することができ、優れた操縦安定性能および耐偏摩耗性能を発揮することが可能になる。このとき、踏込側壁面は溝外側に向かって傾斜しているので、溝体積を充分に確保することができ、優れた排水性能を得ることができる。
【０００８】
本発明では、タイヤ周方向に隣り合うトレッドパターン構成単位に含まれる踏込側壁面の角度αどうしの差と蹴出側壁面の角度βどうしの差とがそれぞれ１°以上８°以下であることが好ましい。このように角度差を設定することで、周方向に隣り合うブロックどうしの剛性差を抑制することができ、周上の陸部剛性を均一化するには有利になる。
【０００９】
本発明では、踏込側壁面の角度αが４０°以下であることが好ましい。このように踏込側壁面の角度αを設定することで、充分な排水性能を得ながら、踏込側壁面の傾斜角度が過大になってブロック剛性が極度に低下することを防ぐことができる。
【００１０】
本発明では、１本のラグ溝に含まれる踏込側壁面の角度αと蹴出側壁面の角度βとがα≧βの関係を満たすことが好ましい。これにより、溝体積を充分に確保することができ、排水性能を高めるには有利になる。特に、摩耗時にも充分な溝体積を確保することができ、摩耗時であっても優れた排水性能を発揮することが可能になる。
【図面の簡単な説明】
【００１１】
【図１】本発明の実施形態からなる空気入りタイヤの子午線断面図である。
【図２】本発明の実施形態からなる空気入りタイヤのトレッド部を簡略化して示す正面図である。
【図３】本発明の実施形態からなるショルダー陸部の一例を示す説明図である。
【発明を実施するための形態】
【００１２】
以下、本発明の構成について添付の図面を参照しながら詳細に説明する。
【００１３】
図１に示すように、本発明の空気入りタイヤは、タイヤ周方向に延在して環状をなすトレッド部１と、このトレッド部１の両側に配置された一対のサイドウォール部２と、サイドウォール部２のタイヤ径方向内側に配置された一対のビード部３とを備えている。尚、図１において、符号ＣＬはタイヤ赤道を示す。
【００１４】
左右一対のビード部３間にはカーカス層４が装架されている。このカーカス層４は、タイヤ径方向に延びる複数本の補強コードを含み、各ビード部３に配置されたビードコア５の廻りに車両内側から外側に折り返されている。また、ビードコア５の外周上にはビードフィラー６が配置され、このビードフィラー６がカーカス層４の本体部と折り返し部とにより包み込まれている。一方、トレッド部１におけるカーカス層４の外周側には複数層（図１では２層）のベルト層７が埋設されている。各ベルト層７は、タイヤ周方向に対して傾斜する複数本の補強コードを含み、かつ層間で補強コードが互いに交差するように配置されている。これらベルト層７において、補強コードのタイヤ周方向に対する傾斜角度は例えば１０°〜４０°の範囲に設定されている。更に、ベルト層７の外周側にはベルト補強層８が設けられている。ベルト補強層８は、タイヤ周方向に配向する有機繊維コードを含む。ベルト補強層８において、有機繊維コードはタイヤ周方向に対する角度が例えば０°〜５°に設定されている。
【００１５】
本発明は、このような一般的な空気入りタイヤに適用されるが、その断面構造は上述の基本構造に限定されるものではない。
【００１６】
トレッド部１には、図２に示すように、タイヤ周方向に延びる複数本の主溝１０と、タイヤ幅方向に延びる複数本のラグ溝２０とを設け、これら主溝１０とラグ溝２０とによって複数の陸部３０（ブロック３０）を設けることができる。特に、本発明では、少なくともタイヤ幅方向最外側の主溝１０のタイヤ幅方向外側に陸部３０（ブロック３０）を設けるものとする。
【００１７】
尚、図２には、本発明の内容を説明するための単純なトレッドパターンとして、タイヤ赤道ＣＬ上に１本の主溝１０が設けられると共に、そのタイヤ幅方向両側に１本ずつの主溝１０が設けられて、これら３本の主溝１０によって４列の陸部列が区画され、これら陸部列にそれぞれ複数本のラグ溝２０がタイヤ周方向に間隔をおいて配置されることで、複数のブロック３０が区画されたパターンを示しているが、本発明が適用されるトレッドパターンはこの態様に限定されるものではなく、後述の「ピッチバリエーション」を有していれば、様々なトレッドパターンに適用することができる。
【００１８】
本発明では、上述のように主溝１０、ラグ溝２０、および陸部３０を設ける際に、タイヤ幅方向に並んだ陸部３０と、この陸部３０のタイヤ周方向の一方側に隣接するラグ溝２０とがトレッドパターン構成単位を構成し、このトレッドパターン構成単位がタイヤ周方向に繰り返し配列される。このとき、トレッドパターン構成単位として、タイヤ周方向の長さであるピッチが異なる複数種類が存在するようにすることで、ピッチバリエーションを有するトレッドパターンが構成される。
【００１９】
具体的には、図２の例では、ピッチの異なる４種類のトレッドパターン構成単位Ａ，Ｂ，Ｃ，Ｄによってトレッドパターンが構成されている。各トレッドパターン構成単位Ａ〜Ｄのタイヤ周方向の長さであるピッチＰA 〜ＰD は互いに異なり、ＰA ＞ＰB ＞ＰC ＞ＰD という大小関係になっている。これらトレッドパターン構成単位Ａ〜Ｄは、所定の配列でタイヤ周方向に繰り返し配置され、これにより、ピッチバリエーションを有するトレッドパターンが構成される。尚、タイヤ周方向に隣接するトレッドパターン構成単位間でブロック剛性差が過大になることを避けるために、ピッチが最大のトレッドパターン構成単位Ａとピッチが最小のトレッドパターン構成単位Ｄとがタイヤ周方向に隣接することはない。これらトレッドパターン構成単位Ａ〜Ｄは、例えば「Ａ，Ｂ，Ｃ，Ｄ，Ｃ，Ｂ，Ａ，Ｂ・・・」のように配列される。
【００２０】
本発明の空気入りタイヤは回転方向が指定されており、図２において矢印Ｒは回転方向を示す。この矢印Ｒの向きにタイヤが回転する際に、１つのブロック３０において最初に路面に当接する側を踏込側（図２の下側）、最後に路面から離れる側を蹴出側（図２の上側）と言う。
【００２１】
ブロック３０の踏込側の壁面を踏込側壁面３１とし、ブロック３０の蹴出側の壁面を蹴出側壁面３２としたとき、図３に示すように、踏込側壁面３１はブロック３０の踏面からラグ溝２０の溝外側に向かって傾斜し、蹴出側壁面３２はブロック３０の踏面からラグ溝の溝内側に向かって傾斜している。このとき、踏込側壁面３１とブロックの踏面の法線とがなす角度（踏込側壁面３１の傾斜角度）をα、蹴出側壁面３２とブロックの踏面の法線とがなす角度（蹴出側壁面３２の傾斜角度）をβとすると、トレッドパターン構成単位のピッチが大きいほど、角度αが大きく、角度βが小さくなっている。
【００２２】
具体的には、図２〜３のように、４種類のトレッドパターン構成単位Ａ〜Ｄが存在し、そのピッチＰA 〜ＰD がＰA ＞ＰB ＞ＰC ＞ＰD という大小関係になっている場合、トレッドパターン構成単位Ａ〜Ｄに含まれる踏込側壁面３１の傾斜角度をαA 〜αD 、蹴出壁面の傾斜角度をβA 〜βD とすると、これら傾斜角度は、αA ＞αB ＞αC ＞αD 、かつ、βA ＜βB ＜βC ＜βD という大小関係になっている。
【００２３】
このように踏込側壁面３１を溝外側に傾斜させると共に、蹴出側壁面３２を溝内側に傾斜させて、これら踏込側壁面３１および蹴出側壁面３２の傾斜角度α，βをそれぞれトレッドパターン構成単位ごとに異ならせ、トレッドパターン構成単位のピッチが大きいほど、踏込側壁面３１の角度αを大きくし、蹴出側壁面３２の角度βを小さくすることで、ピッチの大きいトレッドパターン構成単位のブロックでは踏込側壁面３１の溝底側が大きく抉れた形状になる一方で蹴出側壁面３２は溝底側の突き出しが小さくなってブロック剛性が相対的に低くなり、ピッチの小さいトレッドパターン構成単位のブロックでは蹴出側壁面３２の溝底側の突き出しが大きくなる一方で踏込側壁面３１の溝底側の抉れは小さくなってブロック剛性が相対的に高く低くなる。その結果、異なるピッチのトレッドパターン構成単位に含まれるブロックどうしの剛性差を抑制して、周上の陸部剛性を均一化することができ、優れた操縦安定性能および耐偏摩耗性能を発揮することが可能になる。このとき、踏込側壁面３１は溝外側に向かって傾斜しているので、溝体積を充分に確保することができ、優れた排水性能を得ることができる。
【００２４】
踏込側壁面３１の傾斜角度αA 〜αD および蹴出側壁面３２の傾斜角度βA 〜βD は、上述の大小関係を満たしていれば任意の大きさに設定することができるが、踏込側壁面３１の傾斜角度αが極端に大きくなると、ブロック３０が踏込側において溝底側が大きく抉れた形状になり、ブロック剛性が大きく低下する。そのため、踏込側壁面３１の傾斜角度αは好ましくは４０°以下、より好ましくは１０°〜３０°に設定するとよい。これにより、充分な排水性能を得ながら、踏込側壁面３１の傾斜角度αが過大になってブロック３０の踏込側において剛性が極度に低下することを防ぐことができる。尚、踏込側壁面３１の傾斜角度αが４０°を超えると、ブロック剛性を充分に得ることが難しくなるだけでなく、タイヤ製造時に釜抜け性が悪化する。一方、蹴出側壁面３２の傾斜角度βが極端に大きくなると、ブロック３０が蹴出側において溝底側が大きく突き出た形状になり、排水性能が阻害される虞がある。そのため、蹴出側壁面３２の傾斜角度βについても、好ましくは４０°以下、より好ましくは１０°〜３０°に設定するとよい。これにより、充分なブロック剛性を得ながら、蹴出側壁面３２の傾斜角度βが過大になって排水性能が阻害されることを防ぐことができる。
【００２５】
上述のように踏込側壁面３１はブロック踏面から溝外側に向かって傾斜し、蹴出側壁面３２はブロック踏面から溝内側に向かって傾斜しており、傾斜方向が互いに異なっているが、１本のラグ溝２０に含まれて互いに対向する踏込側壁面３１および蹴出側壁面３２のそれぞれの傾斜角度α，β（絶対値）は同じであってもよい。即ち、１本のラグ溝２０に含まれて互いに対向する踏込側壁面３１と蹴出側壁面３２とは平行であってもよい。しかしながら、１本のラグ溝２０に含まれて互いに対向する踏込側壁面３１および蹴出側壁面３２について踏込側壁面３１の傾斜角度αを蹴出側壁面３２の傾斜角度βよりも大きくすると、そのラグ溝２０は溝底に向かって溝幅が徐々に拡大する形状になるので、ラグ溝２０の溝体積を確保するには有利になる。特に、ラグ溝２０が溝底に向かって溝幅が拡大することで、摩耗が進行した状態でも充分な溝体積が確保されて、優れた排水性能を発揮することが可能になる。つまり、１本のラグ溝２０に含まれる踏込側壁面３１の角度αと蹴出側壁面３２の角度βとはα≧βの関係を満たすことが好ましく、排水性の観点からはα＞βであることが好ましい。
【００２６】
このように、１本のラグ溝２０において踏込側壁面３１の傾斜角度αを蹴出側壁面３２の傾斜角度βよりも大きくするとき、踏込側壁面３１の傾斜角度αと蹴出側壁面３２の傾斜角度βとの差（α−β）は例えば３°〜３０°の範囲に設定することが好ましい。この傾斜角度の差が３°よりも小さいと、踏込側壁面３１の傾斜角度αと蹴出側壁面３２の傾斜角度βとが実質的に同じになり、踏込側壁面３１の傾斜角度αを蹴出側壁面３２の傾斜角度βよりも大きくすることによる効果が充分に得られない。この傾斜角度の差が３０°よりも大きいと、踏込側壁面３１の傾斜角度αが過大であるか、蹴出側壁面３２の傾斜角度βが過小であることになるので、操縦安定性能および耐偏摩耗性能の向上（陸部剛性の確保）と排水性能の維持とを高度に両立することが難しくなる。
【００２７】
前述のように、本発明では、踏込側壁面３１および蹴出側壁面３２のそれぞれの傾斜角度α，βについてトレッドパターン構成単位のピッチに応じて大小関係を設定するが、タイヤ周方向に隣り合うトレッドパターン構成単位に含まれる踏込側壁面３１どうしの傾斜角度αの差は１°以上８°以下に設定することが好ましい。同様に、タイヤ周方向に隣り合うトレッドパターン構成単位に含まれる蹴出側壁面３２どうしの傾斜角度βの差についても１°以上８°以下に設定することが好ましい。これにより、周方向に隣り合うトレッドパターン構成単位に含まれるブロックどうしの剛性差を抑制することができ、周上の陸部剛性を均一化するには有利になる。この傾斜角度の差が１°よりも小さいと、角度差が殆ど無いため、タイヤ周方向に隣り合うトレッドパターン構成単位に含まれる踏込側壁面３１や蹴出側壁面３２どうしの傾斜角度が実質的に同じになり、所期の効果が充分に得られない。この傾斜角度の差が８°よりも大きいと、傾斜角度が大きい踏込側壁面３１を有するブロックにおける剛性減少と傾斜角度が小さい踏込側壁面３１を有するブロックにおける剛性維持とのバランスが悪くなり、また、傾斜角度が大きい蹴出側壁面３２を有するブロックにおける剛性増加と傾斜角度が小さい蹴出側壁面３２を有するブロックにおける剛性維持とのバランスが悪くなり、周上の陸部剛性の均一化が阻害される虞がある。
【００２８】
本発明では、少なくともショルダー陸部において、上述のように踏込側壁面３１および蹴出側壁面３２の傾斜角度α，βを設定するが、このとき、傾斜角度を設定するラグ溝２０の溝深さは３ｍｍ以上１０ｍｍ以下であり、溝幅は３ｍｍ以上１０ｍｍ以下であることが好ましい。これにより、溝壁面の傾斜角度を設定する際に溝体積を適切な範囲に調整することができ、充分な排水性能を得ながら、陸部剛性を均一化するには有利になる。ラグ溝２０の溝深さが３ｍｍよりも小さいと、ラグ溝２０が浅過ぎるため、踏込側壁面３１および蹴出側壁面３２の傾斜角度α，βを設定したとしても、充分に各ブロックの剛性を変化させることができず、陸部剛性を周上で均一化する効果が得難くなる。ラグ溝２０の溝深さが１０ｍｍよりも大きいと、ラグ溝２０が深過ぎるため、溝底のゴムゲージが小さくなり、タイヤ本来の性能が損なわれる虞がある。ラグ溝２０の溝幅が３ｍｍよりも小さいと、溝壁面の傾斜角度による溝体積への影響が大きくなり、溝壁面の傾斜角度によって陸部剛性を適切に調整することが難しくなる。ラグ溝２０の溝幅が１０ｍｍよりも大きいと、トレッド部１に占める陸部２０の割合が小さくなるので、タイヤ全体として充分な陸部剛性を得ることが難しくなる。
【実施例】
【００２９】
タイヤサイズが２５５／３０ＺＲ２０であり、図１に例示する基本構造を有すると共に、図２に例示するトレッドパターンを有し、ショルダー陸部に設けられたラグ溝について、溝深さ、溝幅、トレッドパターン構成単位Ａ〜Ｅのそれぞれにおける踏込側壁面の傾斜角度、蹴出側壁面の傾斜角度、タイヤ周方向に隣り合うトレッドパターン構成単位の踏込側壁面どうしの傾斜角度の角度差、タイヤ周方向に隣り合うトレッドパターン構成単位の蹴出側壁面どうしの傾斜角度の角度差、１本のラグ溝に含まれる踏込側壁面の傾斜角度と蹴出側壁面の傾斜角度との大小関係をそれぞれ表１のように設定した従来例１、比較例１、実施例１〜８の１０種類の空気入りタイヤを作製した。
【００３０】
尚、各トレッドパターン構成単位Ａ〜ＥのピッチＰA 〜ＰD は、ＰA ＝３８ｍｍ、ＰB ＝３３ｍｍ、ＰC ＝３１ｍｍ、ＰD ＝２９ｍｍに設定される。
【００３１】
表１において、踏込側壁面および蹴出側壁面の傾斜角度α，βはそれぞれタイヤ回転方向Ｒの逆方向（即ち、踏込側壁面については溝外側方向、蹴出側壁面については溝内側方向）を正として示した。即ち、踏込側壁面の傾斜角度αが負の値である従来例１および比較例１では、踏込側壁面は、実施例１〜８とは異なり、溝内側方向に傾斜している（従来のラグ溝のように溝底に向かって溝幅が小さくなっている）。
【００３２】
これら１０種類の空気入りタイヤについて、下記の評価方法により排水性能（新品時および５０％摩耗時）、操縦安定性能、耐偏摩耗性能を評価し、その結果を表１に併せて示した。
【００３３】
排水性（新品時、５０％摩耗時）
各試験タイヤをリムサイズ２０×９．０Ｊのホイールに組み付けて、空気圧を２４０ｋＰａとして、排気量が１．８Ｌである前輪駆動の乗用車に装着し、直進路上で水深１０ｍｍのプールに進入するようにした走行試験を実施し、プールへの進入速度を徐々に増加させ、ハイドロプレーニング現象が発生する限界速度を測定した。尚、５０％摩耗時の排水性については、各試験タイヤをトレッド表面から有効溝深さの５０％の位置まで摩耗したうえで、上記試験を行って測定した。評価結果は、従来例１を１００とする指数にて示した。この指数値が大きいほど排水性能が優れることを意味する。
【００３４】
操縦安定性能
各試験タイヤをリムサイズ２０×９．０Ｊのホイールに組み付けて、空気圧を２４０ｋＰａとして、排気量が１．８Ｌである前輪駆動の乗用車に装着し、テストコースにてテストドライバーによる試験走行を実施し、その際の操縦安定性を官能評価した。評価結果は、従来例１を１００とする指数にて示した。この指数値が大きいほど操縦安定性が優れていることを意味する。尚、指数値が「９９」以上であれば、従来レベルの操縦安定性を維持できたことを意味する。
【００３５】
耐偏摩耗性能
各試験タイヤをリムサイズ２０×９．０Ｊのホイールに組み付けて、空気圧を２４０ｋＰａとして、排気量が１．８Ｌである前輪駆動の乗用車に装着し、テストコースにて２００００ｋｍの走行試験を実施した後の車両外側の主溝に隣接する陸部に発生する偏摩耗量を測定した。評価結果は、従来例１を１００とする指数にて示した。この指数値が大きいほど耐偏摩耗性能が優れていることを意味する。尚、指数値が「９９」以上であれば、従来レベルの操縦安定性を維持できたことを意味する。
【００３６】
【表１】
2017144839.tif 000003
【００３７】
表１から明らかなように、実施例１〜８はいずれも、従来例１と同等以上の優れた耐偏摩耗性能および操縦安定性能を発揮しながら、従来例１よりも優れた排水性能を新品時および摩耗時に発揮することができ、これら性能をバランスよく両立した。
【００３８】
一方、比較例１は、溝壁面の傾斜角度によって陸部剛性を均一化して操縦安定性能および偏摩耗性能を改善することはできるものの、主溝の内側壁面が溝内側に傾斜しているため、溝底側に向かって溝幅が徐々に狭くなり、溝容積を充分に確保できず、排水性能が悪化した。
【符号の説明】
【００３９】
１  トレッド部
２  サイドウォール部
３  ビード部
４  カーカス層
５  ビードコア
６  ビードフィラー
７  ベルト層
８  ベルト補強層
１０  主溝
１１  内側壁面
１２  外側壁面
２０  ラグ溝
３０  陸部（ブロック）
３１  踏込側壁面
３２  蹴出側壁面
Ａ，Ｂ，Ｃ，Ｄ  トレッドパターン構成単位
ＣＬ  タイヤ赤道
【図１】
2017144839.tif 000004
【図２】
2017144839.tif 000005
【図３】
2017144839.tif 000006